(57)【要約】【課題】列状に載置する柱状物の転がりを防止する装置及び方法を得る。【解決手段】柱状物を載置するシート材の互いに平行をなす両端部に、断面三角形または四角形の両端エンドストッパを結合し、この両端エンドストッパの間においてシート材上に柱状物を載置してその移動を規制する列状載置柱状物の転がり防止装置及び方法。【選択図】図２
2010265083.tif 000002
【特許請求の範囲】
【請求項１】
柱状物を載置するシート材と、
このシート材の両端部に互いに平行をなすように結合され、該シート材上に載置した柱状物の移動を規制する両端エンドストッパと、
を有することを特徴とする列状載置柱状物の転がり防止装置。
【請求項２】
請求項１記載の列状載置柱状物の転がり防止装置において、上記両端エンドストッパは、断面三角形または四角形である列状載置柱状物の転がり防止装置。
【請求項３】
請求項１または２記載の列状載置柱状物の転がり防止装置において、上記シート材は、平面略矩形の抗張力繊維シートからなり、両端エンドストッパは、この抗張力繊維シートとは別部材からなっていて、該抗張力繊維シートの両端部に互いに平行をなすように固定されている列状載置柱状物の転がり防止装置。
【請求項４】
請求項１または２記載の列状載置柱状物の転がり防止装置において、上記シート材と両端エンドストッパは一体に成形された抗張力繊維シートからなっている列状載置柱状物の転がり防止装置。
【請求項５】
請求項１ないし４のいずれか１項記載の列状載置柱状物の転がり防止装置において、上記柱状物は、巨視的に見て円形断面の柱状物である転がり防止装置。
【請求項６】
請求項１ないし５のいずれか１項記載の列状載置柱状物の転がり防止装置の使用方法であって、シート材の両端エンドストッパ側の端部の少なくとも一方を該両端エンドストッパに巻き付け、その巻付量を調整することによって上記シート材の平面面積を設定する列状載置柱状物の転がり防止装置の使用方法。
【請求項７】
シート材と、このシート材の互いに平行をなす両端部に位置させる一対の両端エンドストッパを準備するステップ、
上記シート材の互いに平行をなす両端部を、それぞれ両端エンドストッパに巻き付けるステップ、及び
上記両端エンドストッパの間のシート材上に、柱状物を載置するステップ、
を有することを特徴とする列状載置柱状物の転がり防止方法。
【請求項８】
請求項７記載の列状載置柱状物の転がり防止方法において、上記両端エンドストッパは、断面三角形または四角形である列状載置柱状物の転がり防止方法。
【請求項９】
請求項７または８記載の列状載置柱状物の転がり防止方法において、上記柱状物は、巨視的に見て円形断面の柱状物である列状載置柱状物の転がり防止方法。
【発明の詳細な説明】
【技術分野】
【０００１】
本発明は、例えば、丸太材、円柱材のような柱状物（円形断面長尺材）を列状に並べさらに重ね積みするときに用いて好適な列状載置柱状物の転がり防止装置及び転がり防止方法に関する。
【背景技術】
【０００２】
丸太材、円柱材のような柱状物を列状に載置しさらに重ね積みするとき、従来は柱状物の載置範囲の両側に固定物を置き、この両側固定物の間に、互いに平行にした柱状物を重ね積みしていた。円形断面柱状物を重ね積みすると、下段の列状の円形断面柱状物の間に形成される凹部に、上段の円形断面柱状物が位置することとなる。両側固定物は従来、三角柱状の木材あるいは載置面（地面または床面）に固定される固定物を用いていた。
【先行技術文献】
【特許文献】
【０００３】
【特許文献１】特開平１１-１１５９号公報
【発明の概要】
【発明が解決しようとする課題】
【０００４】
しかし、このように単に柱状物の載置範囲（エリア）の両側に、固定物を置く転がり防止方法及び装置は、固定物の固定信頼性が問題であり、長期間放置されたとき、固定物が移動してしまえば、柱状物が移動してしまう。柱状物を高く積み上げている程、崩落の危険性が増す。トラックの荷台（床面）に柱状物を載置して運搬する場合にも、振動によるズレが発生しやすく、全く同様の問題がある。
【０００５】
従って本発明は、柱状物を並べて置く場合に、その位置が長期に渡ってずれるおそれのない列状載置柱状物の転がり防止装置及び転がり防止方法を得ることを目的とする。
【課題を解決するための手段】
【０００６】
本発明による列状載置柱状物の転がり防止装置は、シート材と、このシート材の両端部に互いに平行をなすように結合され、該シート材上に載置した柱状物の移動を規制する両端エンドストッパと、を有することを特徴としている。
【０００７】
シート材は、列状載置柱状物のズレによる荷重を受けてもマクロに見て伸び変形をせず、またエンドストッパに巻きつけられる程度の剛性を持つ材料から構成することが好ましい。このような材料は、具体的には抗張力繊維シートとして知られており、さらに具体的には、平面略矩形のゴムまたはエラストマーに補強材としての基布または樹脂フィルムを張り合わせた複合材（基布入りゴムシート材）、あるいはポリエステル繊維の織物の両面を軟質な合成樹脂フィルムでコーティングしたビニール系素材であるターポリンを用いることができる。
【０００８】
あるいは、コスト的に許せば、シート材と両端エンドストッパを上述の抗張力繊維シートから一体に形成（加硫成形）してもよい。
【０００９】
本発明の転がり防止装置は、その一使用態様では、シート材の両端エンドストッパ側の端部の少なくとも一方を該両端エンドストッパに巻き付け、その巻付量を調整することによって上記シート材の平面面積を設定することができる。
【００１０】
本発明は、列状載置柱状物の転がり防止方法の態様では、シート材と、このシート材の互いに平行をなす両端部に位置させる一対の両端エンドストッパを準備するステップ、シート材の互いに平行をなす両端部を、それぞれ両端エンドストッパに巻き付けるステップ、及び両端エンドストッパの間のシート材上に、柱状物を載置するステップ、を有することを特徴としている。
【００１１】
両端エンドストッパは、最も単純には、断面三角形または四角形とすることが好ましい。しかし、床面に安定的に載置される面と、この載置面から立ち上がって柱状物の荷重を受ける面とを備える形状であれば、多角形状であってもよい。多角形状は、「正」多角形である必要はなく、あるいは、かまぼこ断面であってもよい。
【００１２】
本発明の転がり防止装置及び方法は、柱状物の形状を問わずに適用できるが、特に転がりやすい巨視的に見て円形断面の柱状物に適用することが好ましい。
【発明の効果】
【００１３】
本発明は、柱状物を載置するシート材の互いに平行をなす両端部に、両端エンドストッパを結合し、この両端エンドストッパの間においてシート材上に柱状物を載置してその移動を規制するから、載置柱状物の重量が両端エンドストッパに加わり、両端エンドストッパを開こうとする力が加わったとき、シート材がこの開こうとする力によく対抗する。このため、シート材が破損しない限り、両端エンドストッパが移動することがなく、極めて安定した状態で載置柱状物を保持することができる。
【図面の簡単な説明】
【００１４】
【図１】本発明による列状載置柱状物の転がり防止装置の一実施形態を示す正面図である。
【図２】（Ａ）、（Ｂ）、（Ｃ）は、シート材と両端エンドストッパの結合（固定）態様例を示す模式図である。
【図３】（Ａ）、（Ｂ）は、本発明による列状載置柱状物の転がり防止装置の別の実施形態を示す斜視図と正面図である。
【図４】本発明による列状載置柱状物の転がり防止方法を示す正面図である。
【発明を実施するための形態】
【００１５】
図１は、本発明による列状載置柱状物の転がり防止装置の第一の実施形態を示すもので、列状にかつ重ね合わせて載置する柱状物として、完全円形断面の円柱Ｂを想定している。本転がり防止装置１００は、シート材１０と、このシート材１０の両端部に結合した両端エンドストッパ２０からなっている。シート材１０は、円柱Ｂのズレによる荷重によっても伸び変形をせず、両端エンドストッパに巻きつけられる程度の剛性を持つ材料からなっていて、平面矩形をなしており、その互いに平行な両端部に、両端エンドストッパ２０が結合されている。
【００１６】
シート材１０は、抗張力繊維シートから構成することが好ましい。具体的には、天然ゴム、クロロプレン（ＣＲ）ゴム、ウレタンゴム、ポリプロピレン等のゴムやエラストマーといったゴム材料に補強材としての基布または樹脂フィルムを張り合わせた複合材（基布入りゴムシート材）や、ポリエステル繊維の織物の両面を軟質な合成樹脂フィルムでコーティングしたビニール系素材であるターポリンを用いることができる。両端エンドストッパ２０は、金属、木、コンクリート、または剛性の高いゴムやエラストマー樹脂等といった、変形しにくい剛体からなり、断面三角形をなしている。円柱Ｂと両端エンドストッパ２０は、紙面に垂直な方向の一様断面材料である。シート材１０は、一般的には平面矩形とするが、両端エンドストッパ２０を結合した状態において、一対の両端エンドストッパ２０がほぼ平行をなせばよい。両端エンドストッパ２０は、載置面（地面、床面）Ｆに対して平面的に接するできるだけ広い面と、この接地面から上方に延びる面（部分）を備えればよい。断面三角形が最も好ましい形状であるが、断面四角形も使用可能であり、さらに、変形断面多角形、かまぼこ断面等も使用可能である。
【００１７】
図２は、シート材１０と両端エンドストッパ２０の結合態様の例を示している。同図（Ａ）は、両端エンドストッパ２０にシート材１０の端部を約１周巻き付けて後、シート材１０と両端エンドストッパ２０を釘（固定具）３０で結合した例、同図（Ｂ）は、同様に、シート材１０の端部を両端エンドストッパ２０に約１周巻き付けて後、シート材１０に重ね、シート材１０の重畳部分を固定具４０で結合した例、同図（Ｃ）は、シート材１０の両端部に、三角柱状空間１１を形成し、この三角柱状空間１１内に、両端エンドストッパ２０を挿入固定した例である。図１及び図２（Ａ）、（Ｂ）では、図示の便宜上、シート材１０と両端エンドストッパ２０の間に隙間を描いているが、実際には隙間はないか僅かである。
【００１８】
以上の本転がり防止装置１００は、載置面Ｆに置いて用いられる。図１は、シート材１０を用いる場所が、トラックの荷台Ｆのように小面積である場合に好適な使用例である。シート材１０の両端エンドストッパ２０側の端部は、該両端エンドストッパ２０に巻き付けられており、この巻付量の調整によって、転がり防止装置１００の平面面積（平面的な広がり）が設定されている。円柱Ｂは、このようにセットした転がり防止装置１００のシート材１０の上に、長手方向を両端エンドストッパ２０の長手方向と平行にして（紙面と垂直にして）列状にかつ重ねて載置する。すると、下側の列状の隣り合う円柱Ｂの間の凹部に、上側の列状の円柱Ｂが位置する安定状態で、円柱Ｂが載置される。
【００１９】
この列状積層載置状態では、多数の円柱Ｂを押し広げようとする力が両端のエンドストッパ２０に加わり、該両端エンドストッパ２０の間隔を広げようとする力が作用する。しかし、両端の両端エンドストッパ２０は、シート材１０によって互いに結合されているから、この広げようとする力によく対抗する。従って、多数の円柱Ｂを安定した状態で保持することができる。すなわち、列状にかつ積層して載置した円柱Ｂは、崩落の危険なく、あるいは、単に一列に配置した円柱Ｂは、両端エンドストッパ２０の外に転がり出るおそれなく、本転がり防止装置１００によって保持することができる。
【００２０】
両端エンドストッパ２０の形状については、前述のように、載置面（地面、床面）Ｆに対して平面的に接するできるだけ広い平面と、この接地面から上方に延びる面（部分）を備え、この上方に延びる部分で円柱Ｂの荷重を受けることができればよい。
【００２１】
シート材１０と両端エンドストッパ２０は、図３に示すように、一体に形成することもできる。一体成形は、例えば上述の抗張力繊維シートを加硫成形して行うことができる。もっとも、載置する円柱Ｂが小型軽量のものである場合には、シート材１０と両端エンドストッパ２０を合成樹脂材料から一体に形成することも可能である。
【００２２】
図４は、本発明による列状載置柱状物の転がり防止方法の一実施形態を示している。まず、シート材１０と、このシート材１０の互いに平行をなす両端部に位置させる一対の両端エンドストッパ２０を準備する。シート材１０の両端エンドストッパ２０の材質や形状は、転がり防止装置１００で説明したのと同様である。
【００２３】
次にシート材１０の互いに平行をなす両端部を、それぞれ両端エンドストッパ２０に好ましくは１回転以上巻き付ける。この巻付量は、シート材１０を展開する平面的な大きさに合わせて調整するが、１回転以上巻き付けることで、シート材１０と両端エンドストッパ２０の間の摩擦力を大きくし、一対の両端エンドストッパ２０に開こうとする力が加わったときに、シート材１０が十分抵抗する。
【００２４】
以上のシート材１０と両端エンドストッパ２０のセットが終了したら、シート材１０の上に、円柱Ｂを載置する。
【００２５】
以上の実施形態では、柱状物として円柱Ｂを例示したが、本発明の転がり防止装置１００は、完全円形断面は勿論、電柱のようなテーパ柱、丸太材、角柱材等の柱状物、さらには、電線リールやコンクリートヒューム管などの載置に使用することができる。
【符号の説明】
【００２６】
Ｆ  載置面
Ｂ  円柱（柱状物）
１００  転がり防止装置
１０  シート材
１１  三角柱状空間
２０  両端エンドストッパ
３０  ４０  固定具
【図１】
2010265083.tif 000003
【図２】
2010265083.tif 000004
【図３】
2010265083.tif 000005
【図４】
2010265083.tif 000006